(57)【要約】【課題】商品の収納に支障を生じることなく、中底板を高い位置まで上昇させることができる包装箱を提供する。【解決手段】後壁５の上端に蓋１１を開閉自在に連設した箱本体１を形成し、蓋１１の開閉に連動して後部が昇降する中底板２０を設けた包装箱において、蓋１１の裏側と中底板２０とを帯材１３を介して連結し、帯材１３の下端を中底板２０の後端よりも前側に位置させ、蓋１１を開くと、帯材１３により中底板２０の後部が引き上げられて上昇するようにする。中底板２０の前後方向の長さが箱本体１の前後方向の内寸と略同一であっても、中底板２０の後部を高い位置まで上昇させることができる。【選択図】図６
2007161281.tif 000002
【特許請求の範囲】
【請求項１】
後壁５の上端に蓋１１を開閉自在に連設した箱本体１を形成し、蓋１１の開閉に連動して後部が昇降する中底板２０を設けた包装箱において、蓋１１の裏側と中底板２０とを帯材１３を介して連結し、帯材１３の下端を中底板２０の後端よりも前側に位置させ、蓋１１を開くと、帯材１３により中底板２０の後部が引き上げられて上昇するようにしたことを特徴とする包装箱。
【発明の詳細な説明】
【技術分野】
【０００１】
この発明は、蓋の開閉に連動して中底板が昇降する包装箱に関するものである。
【背景技術】
【０００２】
従来、下記特許文献１には、後壁の上端に蓋を開閉自在に連設した箱本体を形成し、箱本体にその底壁より前後方向の長さが短い中底板を挿入すると共に、中底板の後端に折返部を介して連設した延長部を蓋の裏面に貼り付け、蓋の開閉に連動して、中底板の後部が昇降するようにしたものが記載されている。
【０００３】
【特許文献１】実開昭５２−１６８７２７号公報
【発明の開示】
【発明が解決しようとする課題】
【０００４】
しかしながら、上記のような包装箱では、箱本体の背が高い場合、中底板の後部を高い位置まで上昇させようとすると、中底板の前後方向の長さを相当短くする必要があり、商品の収納に支障が生じるという問題がある。
【０００５】
そこで、この発明は、商品の収納に支障を生じることなく、中底板を高い位置まで上昇させることができる包装箱を提供することを課題とする。
【課題を解決するための手段】
【０００６】
上記課題を解決するため、この発明は、後壁の上端に蓋を開閉自在に連設した箱本体を形成し、蓋の開閉に連動して後部が昇降する中底板を設けた包装箱において、蓋の裏側と中底板とを帯材を介して連結し、帯材の下端を中底板の後端よりも前側に位置させ、蓋を開くと、帯材により中底板の後部が引き上げられて上昇するようにしたのである。
【発明の効果】
【０００７】
この包装箱では、中底板を後端の折返部で引き上げるのではなく、その後端よりも前側に繋がる帯材で引き上げるので、中底板の前後方向の長さが箱本体の前後方向の内寸と略同一であっても、中底板の後部を高い位置まで上昇させることができ、商品の収納に支障を生じることなく、開蓋時に驚きや楽しさを与える効果を高めることができる。
【発明を実施するための最良の形態】
【０００８】
以下、この発明の実施形態を添付図面に基づいて説明する。
【０００９】
この包装箱は、菓子箱等として使用するものであり、図１に示すブランク状態で示すように、段ボール製の箱本体１と中底部材２とから構成される。
【００１０】
箱本体１では、前壁３の両側に側壁４が連設され、一方の側壁４の外側に後壁５及び継代片６が順次連設されている。前壁３及び後壁５の下端には底板７が、側壁４の下端には底板８がそれぞれ連設され、前壁３の上端には内前板９が、側壁４の上端には内側板１０がそれぞれ連設されている。
【００１１】
後壁５の上端には、蓋１１及び蓋裏板１２が順次連設され、蓋裏板１２の先端両側部から２本の帯材１３が延出されている。帯材１３の先端には、罫線を介して係止片１４が連設され、その幅は帯材１３の幅より広く、係止片１４の内側には、反対側へ延びる抜止片１５が設けられている。
【００１２】
内前板９の先端両側部には係合突起１６が設けられ、これに対応して内側板１０の側縁には切欠部１７が設けられている。蓋１１の先端には、蓋裏板１２への切込により差込片１８が連設され、前壁３と内前板９の境界部には差込穴１９が設けられている。
【００１３】
中底部材２では、中底板２０の前端に前受板２１及び挟入板２２が順次連設され、中底板２０の両側に中側板２３が連設されている。中底板２０には、後端から前側に間隔をあけて、中側板２３に至るスリット状の挿通穴２４が設けられている。
【００１４】
ここで、挿通穴２４の全長は係止片１４の幅と略等しく、中底板２０に位置する部分の長さは、帯材１３の幅と略等しくなっている。また、中底板２０の前後方向の長さは、組み立てた箱本体１の前後方向の内寸と略同一とされている。
【００１５】
上記のようなブランクから包装箱を製造するには、図２に示すように、箱本体１のブランクにおいて、蓋裏板１２を折り返して蓋１１の裏面に貼り付けると共に、底板７，８を上方へ折り曲げて、底板７の折返部分を底板８に貼り付け、ブランクを２本の縦方向の罫線に沿って折り重ね、継代片６を他方の側壁４に貼り付ける。
【００１６】
この折畳状態では、箱本体１を中底部材２のブランクと共に、嵩張ることなく製菓業者等の使用者へ配送できる。
【００１７】
いま、この包装箱を使用する際には、箱本体１を折畳状態から組み立てて、図３に示すように、帯材１３の係止片１４を中底部材２の挿通穴２４に差し込み、係止片１４及び抜止片１５を中底部材２の裏面に沿うように折り曲げて、帯材１３を挿通穴２４の内側へ寄せる。これにより、帯材１３の下端部は、中底板２０に係止される。
【００１８】
また、箱本体１の組み立てに際しては、図４及び図５に示すように、前壁３、一対の側壁４及び後壁５を角筒状に立体化し、内側板１０を内側へ、前受板２１及び中側板２３を上方へ折り曲げて、箱本体１に中底部材２を挿入し、前壁３と内前板９の間に挟入板２２を挟み込み、係合突起１６と切欠部１７とを係合させて、内前板９を固定する。
【００１９】
そして、箱本体１に商品を収納して、蓋１１を閉じ、差込片１８を差込穴１９に差し込むと、商品の包装が完了する。
【００２０】
上記のような包装状態では、中底板２０が下降して、箱本体１の底面上に沿っており、中底板２０の前後方向の長さが箱本体１の前後方向の内寸と略同一であることから、両側の帯材１３の間では、箱本体１の前後方向にスペースの無駄を生じることなく商品を収納することができる。
【００２１】
一方、商品の購入者がこの包装箱を開封する際には、図６及び図７に示すように、差込片１８を差込穴１９から引き抜いて、蓋１１を開くと、帯材１３を介し中底板２０の後部が引き上げられて高い位置まで上昇し、単なる包装箱とは異なった驚きや楽しさを与える効果を得ることができる。
【００２２】
このとき、中底部材２の前部は、挟入板２２が前壁３と内前板９とで挟持されているため、箱本体１から離れることなく固定され、前受板２１を挟む２本の罫線がヒンジとして機能する。また、中底板２０に載せられた商品は、中側板２３により、側方への逸脱が防止される。
【００２３】
また、蓋１１を閉じると、蓋裏板１２の両側部に中側板２３の弧状端縁が摺接し、中底板２０の後部が押し下げられて下降するので、図４及び図５に示すように、再度封緘することができる。
【００２４】
なお、この実施形態では、蓋１１の両側部から２本の帯材１３が垂れ下がるようにしたが、蓋１１の中央部から１本の帯材１３が垂れ下がるようにしてもよい。また、帯材１３を中底板２０から上方へ延出し、その上端部を蓋１１の裏側に係止してもよい。
【００２５】
また、箱本体１と中底部材２とを別体としたが、これらを一体としたブランクから組み立てるものとしてもよい。さらに、側壁４を左右それぞれ複数枚ずつ設け、外周形状が六角筒や八角筒をなすものとしてもよい。
【図面の簡単な説明】
【００２６】
【図１】この発明の実施形態に係る包装箱のブランクを示す図
【図２】同上の箱本体の折畳状態を示す斜視図
【図３】同上の中底部材への帯材の係止過程を示す斜視図
【図４】同上の組立後の閉蓋状態を示す斜視図
【図５】同上の縦断側面図
【図６】同上の開蓋状態を示す斜視図
【図７】同上の縦断側面図
【符号の説明】
【００２７】
１  箱本体
２  中底部材
３  前壁
４  側壁
５  後壁
６  継代片
７，８  底板
９  内前板
１０  内側板
１１  蓋
１２  蓋裏板
１３  帯材
１４  係止片
１５  抜止片
１６  係合突起
１７  切欠部
１８  差込片
１９  差込穴
２０  中底板
２１  前受板
２２  挟入板
２３  中側板
２４  挿通穴
【図１】
2007161281.tif 000003
【図２】
2007161281.tif 000004
【図３】
2007161281.tif 000005
【図４】
2007161281.tif 000006
【図５】
2007161281.tif 000007
【図６】
2007161281.tif 000008
【図７】
2007161281.tif 000009